(57)【要約】【課題】親機側表示端末と子機側表示端末とを離隔させた状態であっても、表示手段に表示させる表示内容を同期させることが可能な表示端末を提供する。【解決手段】表示端末は、近距離通信可能な複数の第一アンテナと、中距離通信可能な第二アンテナとを備える。第一アンテナによって他の表示端末と通信を行うことが可能となった場合（Ｓ１１：ＹＥＳ）、通信可能な第一アンテナを特定し（Ｓ１２）、特定した第一アンテナの配置位置に基づいて動作モードを特定する（Ｓ１３）。そして、連続する複数のページの表示データの其々を表示端末に表示させる（Ｓ１６、Ｓ１７、Ｓ１８、Ｓ１９）。第一アンテナを介した通信が不可能となった場合であっても、第二アンテナを介した通信が可能な状態であれば、同一の表示データを表示端末に表示させ、継続して表示データを同期させる。【選択図】図５
2010171668.tif 000002
【特許請求の範囲】
【請求項１】
表示手段と、前記表示手段に表示させる表示データを記憶する記憶手段と、前記記憶手段に記憶された前記表示データを前記表示手段に表示させる表示制御手段とを備えた表示端末であって、
他の表示端末と無線通信を行う第一の通信手段と、
前記他の表示端末と無線通信を行う第二の通信手段であって、前記第一の通信手段と比較して通信可能な距離が長い第二の通信手段と、
前記第一の通信手段による前記他の表示端末との通信が可能であるかを判断する第一判断手段と、
前記第一判断手段において通信が可能であると判断された場合に、通信可能であるとされた前記他の表示端末に対して、自身の前記表示端末を特定可能な情報である識別情報を送信する識別情報送信手段と、
前記第一判断手段において通信が可能であると判断された場合に、通信可能であるとされた前記他の表示端末の前記識別情報を受信する識別情報受信手段と、
前記第一判断手段において通信が可能であると判断された場合に、通信可能であるとされた前記他の表示端末に対して情報を送信する側のモードである親機モードであるか、前記他の表示端末より情報を受信する側のモードである子機モードであるかを判断するモード判断手段と、
前記第一判断手段にて通信可能であるとされた前記他の表示端末と通信を行う第一通信制御手段であって、前記モード判断手段において前記親機モードであると判断された場合には、通信可能であるとされた前記他の表示端末に対して情報を送信し、前記モード判断手段において前記子機モードであると判断された場合には、通信可能であるとされた前記他の表示端末より情報を受信する第一通信制御手段と、
前記第一通信制御手段にて通信された情報に基づき前記表示データを決定し、前記表示手段に表示させる第一表示制御手段と、
前記第一通信制御手段により通信を行った後、前記第一の通信手段により、通信可能であるとされた前記他の表示端末と継続して通信可能であるかを判断する第二判断手段と、
前記第二判断手段にて、前記他の表示端末と通信が不可能であると判断された場合、通信が不可能であるとされた前記他の表示端末を前記識別情報受信手段にて受信した前記識別情報にて特定し、前記第二の通信手段により、特定した前記他の表示端末と通信が可能であるかを判断する第三判断手段と、
前記第三判断手段にて通信可能であるとされた前記他の表示端末と通信を行う第二通信制御手段であって、前記モード判断手段において前記親機モードであると判断された場合には、通信可能であるとされた前記他の表示端末に対して情報を送信し、前記モード判断手段において前記子機モードであると判断された場合には、通信可能であるとされた前記他の表示端末より情報を受信する第二通信制御手段と、
前記第二通信制御手段にて通信された情報に基づき前記表示データを決定し、前記表示手段に表示させる第二表示制御手段と
を備えた表示端末。
【請求項２】
複数の前記第一の通信手段であって、前記表示端末の異なる部分に其々設けられている前記複数の第一の通信手段を備え、
前記モード判断手段は、
前記複数の第一の通信手段のうち、前記他の通信端末と通信が可能な前記第一の通信手段を特定し、特定した前記第一の通信手段が前記表示端末のどの部分に設けられているかを判断することによって、前記親機モードであるか前記子機モードであるかを判断することを特徴とする請求項１に記載の表示端末。
【請求項３】
前記モード判断手段において前記親機モードであると判断された場合に、
前記第一通信制御手段は、
自身の前記表示手段に表示させる前記表示データを特定する表示データ特定情報を送信し、
前記第一表示制御手段は、
前記第一通信制御手段にて送信された前記表示データ特定情報にて特定される前記表示データを前記表示手段に表示させることを特徴とする請求項１又は２に記載の表示端末。
【請求項４】
前記モード判断手段において前記子機モードであると判断された場合に、
前記第一通信制御手段は、
通信可能であるとされた前記他の表示端末より前記表示データ特定情報を受信し、
前記第一表示制御手段は、
前記第一通信制御手段にて受信された前記表示データ特定情報にて特定される前記表示データと所定の関係を満たす前記表示データを、前記表示手段に表示させることを特徴とする請求項３に記載の表示端末。
【請求項５】
前記第一表示制御手段は、
前記第一通信制御手段にて受信された前記表示データ特定情報にて特定される前記表示データのページと隣接するページの前記表示データを前記表示手段に表示させることを特徴とする請求項４に記載の表示端末。
【請求項６】
前記第一表示制御手段は、
前記第一通信制御手段にて受信された前記表示データ特定情報にて特定される前記表示データが、ページ全体のうち一部分の前記表示データである場合に、ページ全体のうち前記一部分の表示データを除く部分の前記表示データを前記表示手段に表示させることを特徴とする請求項４に記載の表示端末。
【請求項７】
前記モード判断手段において前記親機モードであると判断された場合に、
前記第二表示制御手段は、
前記第二通信制御手段にて送信された前記表示データ特定情報にて特定される前記表示データを前記表示手段に表示させることを特徴とする請求項３に記載の表示端末。
【請求項８】
前記モード判断手段において前記子機モードであると判断された場合に、
前記第二表示制御手段は、
前記第二通信制御手段にて受信された前記表示データ特定情報にて特定される前記表示データを前記表示手段に表示させることを特徴とする請求項７に記載の表示端末。
【発明の詳細な説明】
【技術分野】
【０００１】
本発明は、複数の表示端末を近接させ、近距離通信可能な通信手段により相互認識させた後、端末同士が離隔して通信ができない状態となった場合も、中距離通信可能な通信手段によって、相互認識した状態を維持させて表示内容を同期させることが可能な表示端末に関する。
【背景技術】
【０００２】
従来、表示端末では、表示パネルの表示可能領域や画素数が制約される。このため、複数ページからなるデータや表示面積が大きなページのデータ等を、一度に表示パネルに表示させてユーザに視認させることが困難であった。このため例えば、データを１ページずつ表示させたり、１ページのデータを縮小させて表示させたり、１ページのデータのうち一部分を抽出して表示させたりしていた。
【０００３】
これに対し、ケーブルによって接続された２台の表示端末（親機、子機）から構成される表示装置が提案されている（特許文献１参照）。この表示装置では、ケーブルを介して通信を行うことによって、表示内容（親機：顧客用表示画面、子機：販売員用表示画面）を同期させ、其々の表示器に表示させることが可能となっている。
【先行技術文献】
【特許文献】
【０００４】
【特許文献１】特開平６−１１０４１６号公報
【発明の概要】
【発明が解決しようとする課題】
【０００５】
しかしながら上述の表示端末では、親機側表示端末と子機側表示端末とは、ケーブルにより接続されなければならないので、双方をケーブルの長さ以上離隔して使用することができないという問題点があった。
【０００６】
本発明は上述の問題点を解決するためになされたものであり、親機側表示端末と子機側表示端末とを離隔させた状態であっても、表示手段に表示させる表示内容を同期させることが可能な表示端末を提供することを目的とする。
【課題を解決するための手段】
【０００７】
上述の問題点を解決するために、請求項１に係る発明の表示端末は、表示手段と、前記表示手段に表示させる表示データを記憶する記憶手段と、前記記憶手段に記憶された前記表示データを前記表示手段に表示させる表示制御手段とを備えた表示端末であって、他の表示端末と無線通信を行う第一の通信手段と、前記他の表示端末と無線通信を行う第二の通信手段であって、前記第一の通信手段と比較して通信可能な距離が長い第二の通信手段と、前記第一の通信手段による前記他の表示端末との通信が可能であるかを判断する第一判断手段と、前記第一判断手段において通信が可能であると判断された場合に、通信可能であるとされた前記他の表示端末に対して、自身の前記表示端末を特定可能な情報である識別情報を送信する識別情報送信手段と、前記第一判断手段において通信が可能であると判断された場合に、通信可能であるとされた前記他の表示端末の前記識別情報を受信する識別情報受信手段と、前記第一判断手段において通信が可能であると判断された場合に、通信可能であるとされた前記他の表示端末に対して情報を送信する側のモードである親機モードであるか、前記他の表示端末より情報を受信する側のモードである子機モードであるかを判断するモード判断手段と、前記第一判断手段にて通信可能であるとされた前記他の表示端末と通信を行う第一通信制御手段であって、前記モード判断手段において前記親機モードであると判断された場合には、通信可能であるとされた前記他の表示端末に対して情報を送信し、前記モード判断手段において前記子機モードであると判断された場合には、通信可能であるとされた前記他の表示端末より情報を受信する第一通信制御手段と、前記第一通信制御手段にて通信された情報に基づき前記表示データを決定し、前記表示手段に表示させる第一表示制御手段と、前記第一通信制御手段により通信を行った後、前記第一の通信手段により、通信可能であるとされた前記他の表示端末と継続して通信可能であるかを判断する第二判断手段と、前記第二判断手段にて、前記他の表示端末と通信が不可能であると判断された場合、通信が不可能であるとされた前記他の表示端末を前記識別情報受信手段にて受信した前記識別情報にて特定し、前記第二の通信手段により、特定した前記他の表示端末と通信が可能であるかを判断する第三判断手段と、前記第三判断手段にて通信可能であるとされた前記他の表示端末と通信を行う第二通信制御手段であって、前記モード判断手段において前記親機モードであると判断された場合には、通信可能であるとされた前記他の表示端末に対して情報を送信し、前記モード判断手段において前記子機モードであると判断された場合には、通信可能であるとされた前記他の表示端末より情報を受信する第二通信制御手段と、前記第二通信制御手段にて通信された情報に基づき前記表示データを決定し、前記表示手段に表示させる第二表示制御手段とを備えている。
【０００８】
また、請求項２に係る発明の表示端末は、請求項１に記載の発明の構成に加えて、複数の前記第一の通信手段であって、前記表示端末の異なる部分に其々設けられている前記複数の第一の通信手段を備え、前記モード判断手段は、前記複数の第一の通信手段のうち、前記他の通信端末と通信が可能な前記第一の通信手段を特定し、特定した前記第一の通信手段が前記表示端末のどの部分に設けられているかを判断することによって、前記親機モードであるか前記子機モードであるかを判断することを特徴とする。
【０００９】
また、請求項３に係る発明の表示端末は、請求項１又は２に記載の発明の構成に加えて、前記モード判断手段において前記親機モードであると判断された場合に、前記第一通信制御手段は、自身の前記表示手段に表示させる前記表示データを特定する表示データ特定情報を送信し、前記第一表示制御手段は、前記第一通信制御手段にて送信された前記表示データ特定情報にて特定される前記表示データを前記表示手段に表示させることを特徴とする。
【００１０】
また、請求項４に係る発明の表示端末は、請求項３に記載の発明の構成に加えて、前記モード判断手段において前記子機モードであると判断された場合に、前記第一通信制御手段は、通信可能であるとされた前記他の表示端末より前記表示データ特定情報を受信し、前記第一表示制御手段は、前記第一通信制御手段にて受信された前記表示データ特定情報にて特定される前記表示データと所定の関係を満たす前記表示データを、前記表示手段に表示させることを特徴とする。
【００１１】
また、請求項５に係る発明の表示端末は、請求項４に記載の発明の構成に加えて、前記第一表示制御手段は、前記第一通信制御手段にて受信された前記表示データ特定情報にて特定される前記表示データのページと隣接するページの前記表示データを前記表示手段に表示させることを特徴とする。
【００１２】
また、請求項６に係る発明の表示端末は、請求項４に記載の発明の構成に加えて、前記第一表示制御手段は、前記第一通信制御手段にて受信された前記表示データ特定情報にて特定される前記表示データが、ページ全体のうち一部分の前記表示データである場合に、ページ全体のうち前記一部分の表示データを除く部分の前記表示データを前記表示手段に表示させることを特徴とする。
【００１３】
また、請求項７に係る発明の表示端末は、請求項３に記載の発明の構成に加えて、前記モード判断手段において前記親機モードであると判断された場合に、前記第二表示制御手段は、前記第二通信制御手段にて送信された前記表示データ特定情報にて特定される前記表示データを前記表示手段に表示させることを特徴とする。
【００１４】
また、請求項８に係る発明の表示端末は、請求項７に記載の発明の構成に加えて、前記モード判断手段において前記子機モードであると判断された場合に、前記第二表示制御手段は、前記第二通信制御手段にて受信された前記表示データ特定情報にて特定される前記表示データと同一の前記表示データを前記表示手段に表示させることを特徴とする。
【発明の効果】
【００１５】
請求項１に係る発明の表示端末は、表示端末間において、通信可能距離が短い第一の通信手段にて通信が可能な場合には、第一の通信手段を用いて通信を実行し、第一の通信手段にて通信が不可能であって、通信可能な距離が第一の通信手段と比較して長い第二の通信手段にて通信が可能な場合には、第二の通信手段を用いて通信を実行する。また、第一の通信手段にて通信が可能となった場合において、親機モードであるか子機モードであるかを判断するモード判断手段を備える。そして、親機モードとなった場合には、子機モードの表示端末に情報を送信する。子機モードとなった場合には、親機モードの表示端末より情報を受信する。そして、通信された情報に基づいて表示データを決定し、表示手段に表示させる。これによって、複数の表示端末それぞれの表示手段に所望の表示データを表示させ、双方の表示内容を同期させることが可能となる。
【００１６】
また、通信可能距離の短い第一の通信手段において同期を行うため、端末同士を近づけるといった容易且つわかりやすい操作で同期を行うことが可能となる。さらに、一度同期した後は第一の通信手段の通信可能距離を越えても自動で第二の通信手段で通信を行うため、同期を維持させるのに手間がかからない。
【００１７】
また、請求項２に係る発明の表示端末は、請求項１に記載の発明の効果に加えて、表示端末は複数の第一の通信手段を備えている。そしてモード判断手段は、何れの第一の通信手段を介して他の表示端末と通信可能であるかを判断することによって、自身が親機モードであるか子機モードであるかを特定する。複数の第一の通信手段は、表示端末のうち異なる部分にそれぞれ設けられている。従って、通信可能な第一の通信手段を特定することによって、自身に対する通信可能な他の表示端末の配置を推測することが可能となる。このように、通信可能な他の表示端末のおおよその配置に基づいて、親機モードであるか子機モードであるかを判断することが可能となる。
【００１８】
また、請求項３に係る発明の表示端末は、請求項１又は２に記載の発明の効果に加えて、親機モードの表示端末は、自身が表示手段に表示させる表示データを特定する情報（表示データ特定情報）を、隣接する他の表示端末に対して通知する。これによって、表示データ特定情報を受信した子機モードの表示端末は、親機モードの表示端末にて表示される表示データを認識することが可能となる。また、送信した表示データ特定情報にて特定される表示データを表示手段に表示させることが可能となる。
【００１９】
また、請求項４に係る発明の表示端末は、請求項３に記載の発明の効果に加えて、子機モードの表示端末は、表示データ特定情報を受信するので、親機モードの表示端末の表示手段に表示されている表示データを認識することが可能となる。また、受信した表示データ特定情報にて特定される表示データと所定の関係を満たす表示データを表示手段に表示させることが可能となる。これによって、複数の表示端末が関連性の高いデータ（連続するページのデータ、共通ページのデータ等）をそれぞれの表示手段に表示させることによって、表示データを同期させることが可能となる。従ってユーザは、複数の表示端末を使用し、表示手段に表示される関連性の高い複数のデータを一度に閲覧することが可能となる。
【００２０】
また、請求項５に係る発明の表示端末は、請求項４に記載の発明の効果に加えて、親機モードの表示端末と子機モードの表示端末とで、隣接する複数のページの表示データを表示手段に表示させることが可能となる。これによってユーザは、複数の連続したページの表示データを一度に視認することが可能となる。
【００２１】
また、請求項６に係る発明の表示端末は、請求項４に記載の発明の効果に加えて、親機モードの表示端末にページ全体のうち一部分の表示データが表示されている場合に、子機モードの表示端末に、ページ全体のうち前記一部分の表示データを除く部分の表示データを表示させることが可能となる。これによってユーザは、１ページ分のデータを複数の表示端末を使用して一度に閲覧することが可能となる。
【００２２】
また、請求項７に係る発明の表示端末は、請求項３に記載の発明の効果に加えて、親機モードの表示端末は、第一の通信手段にて子機モードの通信端末と通信が不可能となった場合でも、第二の通信手段にて通信が可能な状態である場合には、表示データ特定情報にて特定される表示データを表示手段に表示させることが可能となる。
【００２３】
また、請求項８に係る発明の表示端末は、請求項７に記載の発明の効果に加えて、子機モードの表示端末は、第一の通信手段にて親機モードの表示端末との通信が不可能となった場合でも、第二の通信手段にて通信が可能な状態である場合には、親機モードの表示端末に表示されている表示データと同一の表示データを、自身の表示手段に表示させる。これによって、複数の表示端末にて同一のデータを表示させることが可能となる。従ってユーザは、自身が表示端末を介して視認可能なデータと同一のデータを、別の表示端末を介して別の者に視認させることが可能となる。
【図面の簡単な説明】
【００２４】
【図１】表示端末１の物理的構成を示す正面図である。
【図２】表示端末１が近接配置された場合における表示データの表示態様を示した模式図である。
【図３】表示端末１が離隔して配置された場合における表示データの表示態様を示した模式図である。
【図４】表示端末１の電気的構成を示す模式図である。
【図５】メイン処理のフローチャートである。
【図６】メイン処理のフローチャートである。
【図７】同期開始処理のサブルーチンフローチャートである。
【図８】親機表示処理のサブルーチンフローチャートである。
【図９】子機表示処理のサブルーチンフローチャートである。
【発明を実施するための形態】
【００２５】
以下、本発明に係る表示端末を具現化した表示端末１について、図面を参照して説明する。なおこれらの図面は、本発明が採用しうる技術的特徴を説明するために用いられるものであり、記載されている端末の構成、各種処理のフローチャートなどは、特に特定的な記載がない限り、それのみに限定する趣旨ではなく、単なる説明例である。
【００２６】
図１を参照し、表示端末１の物理的構成について説明する。図１は、表示端末１の物理的構成を示す正面図である。図１に示すように、表示端末１は平面視略長方形状を有している。そして、第一アンテナ２〜５、第二アンテナ６、表示部８、操作部９、枠部７等が表示端末１の正面側に其々設けられている。なお以下、図１における上側を表示端末１の上側、下側を表示端末１の下側、左側を表示端末１の左側、右側を表示端末１の右側と定義する。
【００２７】
表示端末１の正面側には、上下方向に長い正面視略長方形上の表示部８が中央部に設けられる。また表示端末１の正面側には、表示部８の周囲を覆うように額状の枠部７が設けられる。表示部８は、所望の像を形成させることが可能な表示素子により構成される。表示素子としては従来周知の様々な表示素子が使用可能である。例えば、液晶表示素子、有機ＥＬ素子、電気泳動型表示素子が使用可能である。
【００２８】
枠部７の四辺における長手方向の中央部分には、第一アンテナ２〜５がそれぞれ設けられる。詳細には、枠部７の上辺に第一アンテナ２、左辺に第一アンテナ３、下辺に第一アンテナ４、右辺に第一アンテナ５が其々設けられる。第一アンテナ２〜５は、所定の通信方式（周波数、変復調方式）や通信規格（以下、これらを総称し「第一通信方式」という。）に基づいて無線電波の送受信を行うことが可能なアンテナである。また枠部７の右上の角には、第二アンテナ６が設けられている。第二アンテナ６は、第一通信方式とは異なる所定の通信方式（周波数、変復調方式）や通信規格（以下、これらを総称し「第二通信方式」という。）に基づいて無線電波の送受信を行うことが可能なアンテナである。
【００２９】
第一アンテナ２〜５、及び第二アンテナ６は、其々の通信方式に基づいた信号電波の送受信が可能なように、其々形状や大きさが定められる。アンテナ種別としては、例えばループアンテナやダイポールアンテナが使用可能である。
【００３０】
第一通信方式、及び、第二通信方式について説明する。第一通信方式及び第二通信方式は、第二通信方式の方が第一通信方式と比較して遠距離の通信が可能な通信方式となるように設定される（以下、第一通信方式にて通信可能な最大距離を「第一可能距離」といい、第二通信方式にて通信可能な最大距離を「第二可能距離」という。）従って、一の表示端末１と他の表示端末１との間で第一アンテナ２〜５を介して通信を行うことが可能な状態であれば、通信可能な第一アンテナ２〜５間の距離は第一可能距離以下である。これに対し、第一アンテナ２〜５を介して通信を行うことが不可能な状態であって、第二アンテナ６を介して通信を行うことが可能な状態であれは、通信可能な第二アンテナ６間の距離は第一可能距離より大きく且つ第二可能距離以下である。
【００３１】
具体的な通信可能距離としては、例えば、第一可能距離を近距離（数十ｃｍ程度）とし、第二可能距離を中距離（数ｍ程度）とすることが可能である。また具体的な通信方式としては、第一通信方式として、例えばＲＦＩＤのような電磁誘導方式、ＴｒａｎｓｆｅｒＪｅｔ（登録商標）等が使用可能である。第二通信方式として、例えばＢｌｕｅｔｏｏｔｈ（登録商標）、Ｚｉｇｂｅｅ（登録商標）等が使用可能である。なお、通信可能距離、及び通信方式としては、上述の例に限定されず、他の様々な通信可能距離、通信方式とすることが可能である。
【００３２】
操作部９は、枠部７の右辺の下部分に設けられる。操作部９は、操作ボタンやタッチセンサ等より構成される。操作部９は、表示部８に表示されているデータ（「表示データ」という。）の変更指示や更新指示の処理を受け付ける。
【００３３】
本実施の形態における表示端末１の動作概要について、図２及び図３を参照して説明する。図２は、２台の表示端末１（表示端末１１、表示端末２１）が左右に近接配置された場合における表示データの表示態様を示した模式図である。図３は、２台の表示端末１（表示端末１１、表示端末２１）が左右に離れて配置された場合における表示データの表示態様を示した模式図である。
【００３４】
図２を参照し、２台の表示端末１（表示端末１１、表示端末２１）が互いに左右に近接配置された状態における表示データの表示態様について説明する。図２では、表示端末１１が表示端末２１の左側に近接して配置されている。表示端末１１は、表示部１８を備える。また表示端末１１は、額状の枠部１７の上辺に第一アンテナ１２、左辺に第一アンテナ１３、下辺に第一アンテナ１４、右辺に第一アンテナ１５を備え、枠部１７の右上の角に、第二アンテナ１６を備える。表示端末２１は、表示部２８を備える。また表示端末２１は、額状の枠部２７の上辺に第一アンテナ２２、左辺に第一アンテナ２３、下辺に第一アンテナ２４、右辺に第一アンテナ２５を備え、枠部２７の右上の角に、第二アンテナ２６を備える。
【００３５】
なおこの状態では、表示端末１１の第一アンテナ１５と、表示端末２１の第一アンテナ２３との間の距離は、第一可能距離以内であることとする。また、表示端末１１の第一アンテナ１５と、表示端末２１の第一アンテナ２２、２４、２５との間の距離は、第一可能距離より大きいものとする。また、表示端末２１の第一アンテナ２３と、表示端末１１の第一アンテナ１２、１３、１４との間の距離は、第一可能距離より大きいものとする。従って、表示端末１１と表示端末２１とは、第一アンテナ１５と第一アンテナ２３とを介して通信を行うことが可能な状態となっているものとする。
【００３６】
表示端末１１は、表示端末２１の第一アンテナ２３より送信される信号電波を、第一アンテナ１５を介して受信することが可能である。このことから、表示端末１１の右側に表示端末２１が近接配置していと認識する。一方表示端末２１は、表示端末１１の第一アンテナ１５より送信される信号電波を、第一アンテナ２３を介して受信することが可能である。このことから、表示端末２１の左側に表示端末１１が近接配置していると認識する。このように表示端末１では、第一アンテナ２〜５（図１参照）のうち、何れのアンテナを介して他の表示端末１より送信される信号電波を受信可能であるかを判断する。表示端末１は、枠部７（図１参照）の四辺の上下左右の位置に第一アンテナ２〜５を備えている（図１参照）ので、表示端末１の上下左右方向の何れの側に他の表示端末１が近接配置しているかを推測することが可能となる。
【００３７】
また表示端末１は、推測した他の表示端末１の配置状態に基づいて表示データを選択し、表示部８（図１参照）に表示させる。これによって、自身が表示する表示データと、他の表示端末１に表示される表示データとを同期させる。例えば図２のように、表示端末１が左右に近接配置した場合には、連続するページの表示データを表示部８に表示させる。図２に示す例では、左側に配置する表示端末１１の表示部１８には、１ページ目の表示データが表示される。右側に配置する表示端末２１の表示部２８には、２ページ目の表示データが表示される。これによってユーザは、隣接する複数ページの表示データを一度に視認することが可能となる。
【００３８】
なお表示部８（図１参照）には、図２に示すように、他の表示端末１との配置関係を示すためのインジケータが表示される。表示端末１１の表示部１８の右下部分の左側にインジケータ３１が表示され、右側にインジケータ３２が表示される。表示端末２１の表示部２８の右下部分の左側にインジケータ４１が表示され、右側にインジケータ４２が表示される。表示端末１どうしが近接して配置した状態では、左側に表示されるインジケータが点灯する。図２に示す例では、表示端末１１の表示部１８に表示されるインジケータのうち、インジケータ３１が点灯している。また、表示端末２１の表示部２８に表示されるインジケータのうち、インジケータ４１が点灯している。ユーザは、インジケータの点灯状態を視認することによって、表示端末１どうしが近接して配置しており、表示データが同期していることを認識可能となる。
【００３９】
図３を参照し、２台の表示端末１（表示端末１１、表示端末２１）が離れて配置された状態における表示データの表示態様について説明する。図３は、表示端末１１及び表示端末２１が図２に示すように近接配置された後、左右に其々移動し、双方が離された場合の状態を示している。なおこの状態では、表示端末１１の第一アンテナ１２〜１５と表示端末２１の第一アンテナ２２〜２５との間の距離は第一可能距離より大きいものとし、且つ、表示端末１１の第二アンテナ１６と表示端末２１の第二アンテナ２６との間の距離は第二可能距離以内であるものとする。従って、表示端末１１と表示端末２１とは、第二アンテナ１６と第二アンテナ２６とを介して通信を行うことが可能な状態となっている。
【００４０】
表示端末１１は、第一アンテナ１５を介した表示端末２１との通信が可能な状態から不可能な状態となり、且つ、表示端末２１の第二アンテナ２６より送信される信号電波を、第二アンテナ１６を介して受信することが可能な状態であると認識する。これによって表示端末１１は、表示端末２１が移動して離隔したと認識する。一方表示端末２１は、第一アンテナ２３を介した表示端末１１との通信が可能な状態から不可能な状態となり、且つ、表示端末１１の第二アンテナ１６より送信される信号電波を、第二アンテナ２６を介して受信することが可能な状態であると認識する。これによって表示端末２１は、表示端末１１が移動して離隔したと認識する。
【００４１】
また表示端末１は、一旦第一アンテナ２〜５を介して通信可能となった表示端末１が、依然第二通信可能距離に存在する場合には、同一ページの表示データをそれぞれの表示部８（図１参照）に表示させる。これによって、自身が表示する表示データと、他の表示端末１に表示される表示データとを同期させる。図３に示す例では、表示端末１１の表示部１８及び表示端末２１の表示部２８には、１ページ目の表示データが表示される。これによってユーザは、表示端末１を一旦近接配置させた後、離隔させることによって、同一ページの表示データを異なる表示端末１の表示部８に表示させることが可能となる。これによって例えば、一方の表示端末１１に表示される表示データを自身が視認し、他方の表示端末２１に表示される同一表示データを他者に視認させることが可能となる。
【００４２】
なお、表示端末１同士が互いに離隔して配置した状態では、表示部８（図１参照）に表示されるインジケータのうち右側のインジケータが点灯する。具体的には、表示端末１１では、インジケータ３２が点灯し、表示端末２１では、インジケータ４２が点灯する。ユーザはインジケータを視認することによって、表示端末１どうしが表示データを同期させた状態を維持しつつ離隔して配置していることを認識可能となる。
【００４３】
図４を参照し、表示端末１の電気的構成について説明する。図４は、表示端末１の電気的構成を示す模式図である。図４に示すように、表示端末１には、表示制御や通信制御等、制御一般を実行するＣＰＵ等から構成される制御部５１、制御部５１にて実行されるプログラムや各種パラメータ等が記憶されるＲＯＭ５２、フラグやタイマ、カウンタ等が記憶されるＲＡＭ５３、表示部８に表示させる表示データ等が記憶されるフラッシュメモリ５４が設けられる。そして、制御部５１よりＲＯＭ５２、ＲＡＭ５３、フラッシュメモリ５４の各記憶領域にアクセスすることが可能なように、制御部５１とＲＯＭ５２、ＲＡＭ５３、及びフラッシュメモリ５４とはそれぞれ電気的に接続される。
【００４４】
表示端末１には、表示部８と、表示部８に所望の表示データを表示させるために表示部８を駆動する表示制御部５８とが設けられる。そして、制御部５１からの制御により所望の表示データを表示部８に表示させることが可能なように、制御部５１と表示制御部５８とは電気的に接続される。表示制御部５８と表示部８とは電気的に接続される。
【００４５】
表示端末１には、ユーザからの入力操作を受け付ける操作部９が設けられている。そして、操作部９を介して入力された情報を制御部５１にて認識することが可能なように、操作部９と制御部５１とは電気的に接続される。
【００４６】
表示端末１には、第一アンテナ２〜第一アンテナ５が設けられる。また、制御部５１より受信した信号を第一通信方式に基づき変調し、又は、第一アンテナ２〜５にて受信された信号を第一通信方式に基づき復調する第一通信部５６が設けられる。そして、第一アンテナ２〜５と第一通信部５６とは電気的に接続され、第一通信部５６と制御部５１とは電気的に接続される。
【００４７】
なお制御部５１は、第一通信部５６より受信する信号が、第一アンテナ２〜５のうち何れのアンテナにて受信した信号電波に基づくものであるかを判断することが可能な構成となっている。これによって制御部５１は、４つの第一アンテナのうちどの第一アンテナが信号電波を受信したかを認識することが可能となっている。
【００４８】
表示端末１には、第二アンテナ６が設けられる。また、制御部５１より受信した信号を第二通信方式に基づき変調し、又は、第二アンテナ６にて受信された信号を第二通信方式に基づき復調する第二通信部５７が設けられる。そして、第二アンテナ６と第二通信部５７とは電気的に接続され、第二通信部５７と制御部５１とは電気的に接続される。
【００４９】
表示端末１の制御部５１にて実行されるメイン処理について、図５〜図９のフローチャートを参照して説明する。図５及び図６は、メイン処理のフローチャートである。図７は、同期開始処理のサブルーチンフローチャートである。図８は、親機表示処理のサブルーチンフローチャートである。図９は、子機表示処理のサブルーチンフローチャートである。メイン処理は、表示端末１の電源が投入された場合において、制御部５１により起動され実行される。
【００５０】
図５に示すようにメイン処理では、はじめに、第一アンテナ２〜５を介して通信可能な他の表示端末１が存在するかが判断される（Ｓ１１）。ここでの判断方法としては、従来周知の様々な判断方法を使用することが可能である。例えば表示端末１は、第一アンテナ２〜５より一定周期で存在通知のための信号電波を送信する処理を行うこととし、この信号電波を他の表示端末１が第一アンテナ２〜５を介して受信できた場合に、存在通知の送信元の表示端末１と通信可能であると判断する方法が使用可能である。
【００５１】
第一可能距離内に他の表示端末１の第一アンテナ２〜５が存在せず、第一アンテナ２〜５を介して通信可能な他の表示端末１が存在しないと判断された場合（Ｓ１１：ＮＯ）、Ｓ１１に戻り、継続して通信可能な他の表示端末１が存在するかが監視される。
【００５２】
第一アンテナ２〜５を介して通信可能な他の表示端末１が存在すると判断された場合（Ｓ１１：ＹＥＳ）、第一アンテナ２〜５のうち通信可能となった第一アンテナを特定する（Ｓ１２、特定されたアンテナを「第一可能アンテナ」という。）。そして、Ｓ１１において通信可能とされた表示端末１（「相手表示端末」という。）を認識する処理等を行うための同期開始処理（Ｓ１３、図７参照）が実行される。
【００５３】
図７のフローチャートを参照し、同期開始処理について説明する。図７に示すように、同期開始処理では、はじめに、自身の表示端末を特定するための識別ＩＤを含む信号電波が、第一アンテナ２〜５より送信される（Ｓ３９）。次いで、第一可能アンテナを介し、相手表示端末より送信される識別ＩＤを含む信号電波が受信される（Ｓ４１）。これによって、相手表示端末の識別ＩＤが取得される。
【００５４】
次いで、第一可能アンテナが第一アンテナ２〜５のうちどのアンテナであるかを判断することによって、相手表示端末が、自身に対してどの位置に配置されているかが推定される。具体的には、第一可能アンテナが第一アンテナ２である場合には、第一アンテナ２は枠部７（図１参照）の上辺に配置されているので、相手表示端末は自身の上側に配置していると推定される。以下同様に、第一可能アンテナが第一アンテナ３である場合には左側、第一可能アンテナが第一アンテナ４である場合には下側、第一可能アンテナが第一アンテナ５である場合には右側に相手表示端末が配置していると推定される。
【００５５】
次いで、表示端末１の動作モードが特定される。本実施の形態では、相手表示端末の配置が右側又は下側であると推定された場合、相手表示端末に対して表示させる表示データを特定する情報（以下「表示データ特定情報」）を送信する側の動作モード（以下「親機モード」という。）と特定される。一方、相手表示端末の配置が左側又は上側であると推定された場合、相手表示端末より表示データ特定情報を受信する側の動作モード（以下「子機モード」という。）と特定される。
【００５６】
特定された動作モードが親機モードである場合（Ｓ４３：ＹＥＳ）、表示部８に既に表示中の表示データの種別を特定する情報（以下「種別情報」という。）と、表示中のページの情報（以下「ページ情報」という。）とが、表示データ特定情報として、子機モードにて動作する相手表示端末に送信される（Ｓ４５）。なお表示データ特定情報は、第一可能アンテナを介して送信される。
【００５７】
次いで、子機モードにて動作する相手表示端末より、表示データを要求する信号（以下「要求信号」という。）を受信したかどうかが判断される（Ｓ４７）。要求信号を受信した場合（Ｓ４７：ＹＥＳ）、相手表示端末の要求に応じ、表示データを相手表示端末に送信する（Ｓ４９）。そして同期開始処理を終了し、メイン処理（図５参照）に戻る。一方、相手表示端末より要求信号を受信しなかった場合（Ｓ４７：ＮＯ）、以下特段処理を行うことなく同期開始処理を終了してメイン処理（図５参照）に戻る。
【００５８】
一方、Ｓ４３にて特定された動作モードが子機モードである場合（Ｓ４３：ＮＯ）、親機モードにて動作する相手表示端末より表示データ特定情報を受信したかどうかが判断される（Ｓ５１）。受信していない場合には（Ｓ５１：ＮＯ）、継続して表示データ特定情報を受信したかどうかが監視される。
【００５９】
表示データ特定情報を受信した場合（Ｓ５１：ＹＥＳ）、次いで、受信した表示データ特定情報に含まれている識別情報が参照される。そして、識別情報にて特定される表示データがフラッシュメモリ５４に記憶されているかが判断される（Ｓ５３）。表示データがフラッシュメモリ５４に記憶されている場合には（Ｓ５３：ＹＥＳ）、以下特段の処理を行うことなく同期開始処理を終了し、メイン処理（図５参照）に戻る。
【００６０】
一方、表示データがフラッシュメモリ５４に記憶されていない場合には（Ｓ５３：ＮＯ）、表示部８に表示させる表示データがないので、親機モードにて動作する相手表示端末に対して表示データの送信を要求する要求信号が送信される（Ｓ５５）。次いで、要求信号に応じて親機モードの相手表示端末より送信される表示データを受信するまで待機される（Ｓ５７：ＮＯ）。表示データを受信した場合（Ｓ５７：ＹＥＳ）、受信した表示データがフラッシュメモリ５４に記憶される。そして同期開始処理は終了され、メイン処理（図５参照）に戻る。
【００６１】
図５に示すように、同期開始処理が終了した後のメイン処理では、動作モードに応じて表示データを決定し、表示部８に表示させる。親機モードで動作している場合には（Ｓ１５：ＹＥＳ）、表示中の表示データを継続して表示部８に表示させる（Ｓ１６）。次いで、親機モードで動作する状態での表示制御処理（親機表示処理、図８参照、詳細後述）が実行される（Ｓ１７）。そしてＳ２１（図６参照）に移行する。一方、子機モードで動作している場合には（Ｓ１５：ＮＯ）、Ｓ５１（図６参照）にて受信した表示データ特定情報に含まれるページ情報の次ページの表示データをフラッシュメモリ５４より読み出し、表示部８に表示させる（Ｓ１８）。次いで、子機モードで動作する状態での表示制御処理（子機表示処理、図９参照、詳細後述）が実行される（Ｓ１９）。そしてＳ２１（図６参照）に移行する。
【００６２】
図８を参照し、メイン処理のＳ１７（図５参照）にて開始される親機表示処理について説明する。図８に示すように、親機表示処理では、はじめに、ユーザにより操作部９を介して表示中の表示データのページを切り替える指示入力がなされたかどうかが判断される（Ｓ６３）。
【００６３】
ページを切り替える指示入力がなされていない場合（Ｓ６３：ＮＯ）、特段処理を行うことなくＳ６９に移行される。ページを切り替える指示入力がなされている場合（Ｓ６３：ＹＥＳ）、入力された切り替え後のページのページ情報を含む表示データ特定情報が、子機モードにて動作する相手表示端末に送信される（Ｓ６５）。なお表示データ特定情報は、第一可能アンテナを介して送信される。次いで、切り替え後のページの表示データを表示部８に表示させる（Ｓ６７）。そしてＳ６９に移行される。
【００６４】
Ｓ６９では、子機モードで動作する相手表示端末と通信を行うことが可能なアンテナが、第一可能アンテナから第二アンテナ６に変更となったかが判断される（Ｓ６９）。ここでの判断方法としては、例えばＳ１１における判断方法と同様の方法が使用可能である。相手表示端末と通信を行うことが可能なアンテナが継続して第一可能アンテナであると判断された場合（Ｓ６９：ＮＯ）、Ｓ６３に戻り、上述の処理が繰り返し実行される。一方、相手表示端末との間の距離が離隔してしまい、相手通信端末と通信を行うことが可能なアンテナが第二アンテナ６に変更となった場合（Ｓ６９：ＹＥＳ）、親機表示処理を終了してメイン処理（図５参照）に戻る。
【００６５】
図９を参照し、メイン処理のＳ１９（図５参照）にて開始される子機表示処理について説明する。図９に示すように、子機表示処理では、はじめに、親機モードにて動作する相手表示端末より、表示データ特定情報を受信したかが判断される（Ｓ７１）。表示データ特定情報を受信していない場合（Ｓ７１：ＮＯ）、特段処理を行うことなくＳ７３に移行される。
【００６６】
親機モードにて動作する相手表示端末より、表示データ特定情報を受信した場合（Ｓ７１：ＹＥＳ）、第一可能アンテナを介して表示データ特定情報を受信したかが判断される（Ｓ７５）。この場合、第一可能アンテナを介して通信可能な状態であるので、表示データ特定情報は第一可能アンテナを介して受信している（Ｓ７５：ＹＥＳ）。そこで、受信した表示データ特定情報に含まれているページ情報の次のページの表示データをフラッシュメモリ５４より読みだし、表示部８に表示させる（Ｓ７７）。そしてＳ７１に戻り、上述の処理が繰り返し実行される。
【００６７】
なお上述のように、メイン処理におけるＳ１９（図５参照）にて子機表示処理が開始された後、表示データ特定情報を受信した場合には（Ｓ７１：ＹＥＳ）、第一アンテナを介して表示データ特定情報を受信しているので（Ｓ７５：ＹＥＳ）、親機モードにて動作する相手表示端末の表示部８に表示されている表示データの次ページの表示データを、自身の表示部８に表示させる処理（Ｓ７７）が実行される。一方、詳細は後述するが、メイン処理におけるＳ２６（図６参照）にて子機表示処理が開始された後、表示データ特定情報を受信した場合には（Ｓ７１：ＹＥＳ）、第二アンテナを介して表示データ特定情報を受信している（Ｓ７５：ＮＯ）。この場合には、親機モードにて動作する相手表示端末の表示部８に表示されている表示データと同一の表示データを、自身の表示部８に表示させるための処理（Ｓ７９）が実行される。
【００６８】
Ｓ７３では、親機モードで動作する相手表示端末と通信を行うことが可能なアンテナが第一可能アンテナから第二アンテナ６に変更となったかが判断される（Ｓ７３）。ここでの判断方法としては、例えばＳ１１における判断方法と同様の方法が使用可能である。相手表示端末と通信を行うことが可能なアンテナが継続して第一可能アンテナであると判断された場合（Ｓ７３：ＮＯ）、Ｓ７１に戻り、上述の処理が繰り返し実行される。一方、相手表示端末との間の距離が離隔してしまい、相手通信端末と通信を行うことが可能なアンテナが第二アンテナ６に変更となった場合（Ｓ７３：ＹＥＳ）、子機表示処理を終了してメイン処理（図５参照）に戻る。
【００６９】
上述の処理によって、隣接して配置された状態となっている２つの表示端末１に、連続する２つのページの表示データが表示される。ユーザは、隣接する複数のページを同時に視認することができる状態となる。また、親機モードにて動作する表示端末１の操作部９を介して、表示中の表示データを切り替える指示入力がなされた場合であっても、切り替え後の表示データに続くページの表示データを子機モードで動作する表示端末の表示部８に表示させることが可能となる。
【００７０】
親機表示処理（Ｓ１７、図５参照）及び子機表示処理（Ｓ１９、図５参照）が終了した状態では、第一可能アンテナを介して相手通信端末と通信を行うことができない状態となっている。そこで、図６に示すメイン処理では、自身の第二アンテナ６と相手表示端末の第二アンテナ６との間の距離が第二可能距離以内に配置されており、相手表示端末と第二アンテナ６を介して通信が可能な状態であるかが判断される（Ｓ２１）。ここでの判断方法として、従来周知の様々な判断方法を使用することが可能である。例えば表示端末１は、第二アンテナ６より一定周期で存在通知のための信号電波を送信する処理を行うこととし、この信号電波を他の表示端末１が第二アンテナ６を介して受信できた場合に、存在通知の送信元の表示端末１と通信可能であると判断する方法が使用可能である。また、同期開始処理（図６参照）にて特定された相手側表示端末であるか否かを特定するために、上述の存在通知のための信号電波に識別ＩＤを含ませる構成としてもよい。
【００７１】
第二アンテナ６を介し、Ｓ４１（図７参照）にて受信した識別ＩＤと同一の識別ＩＤを有する相手表示端末と通信を行うことが可能であると判断された場合（Ｓ２１：ＹＥＳ）、表示端末１は、通信可能であるとされた相手表示端末に表示される表示データと同一の表示データを、自身の表示部８に表示させるための処理が行われる。
【００７２】
はじめに、動作モードが親機モードであるか子機モードであるかが判断される（Ｓ２２）。親機モードで動作している場合（Ｓ２２：ＹＥＳ）、表示部８に指定の表示データを表示させる（Ｓ２３）。ここで指定の表示データとしては、予め定められた所定のページとしてもよいし、ユーザにより設定されたページの表示データとしてもよい。
【００７３】
次いで、表示中の表示データの種別情報及び表示させるページのページ情報を含む表示データ特定情報が、子機モードにて動作する相手表示端末に対して送信される（Ｓ２４）次いで、親機モードで動作する状態での表示制御処理（親機表示処理、図８参照）が実行される（Ｓ２５）。一方、子機モードで動作している場合には（Ｓ２２：ＮＯ）、子機モードで動作する状態での表示制御処理（子機表示処理、図９参照）が実行される（Ｓ２６）。
【００７４】
図８を参照し、メイン処理のＳ２５（図６参照）にて開始される親機表示処理について説明する。なお、既述の親機表示処理の説明と重複する説明は簡略する。図８に示すように、親機表示処理では、はじめに、ユーザにより操作部９を介して表示中の表示データのページを切り替える指示入力がなされたかどうかが判断される（Ｓ６３）。指示入力がなされていない場合（Ｓ６３：ＮＯ）、Ｓ６９に移行される。指示入力がなされている場合（Ｓ６３：ＹＥＳ）、入力された切り替え後のページのページ情報を含む表示データ特定情報が、子機モードにて動作する相手表示端末に送信される（Ｓ６５）。なお表示データ特定情報は、第二アンテナ６を介して送信される。次いで、切り替え後のページの表示データを表示部８に表示させる（Ｓ６７）。そしてＳ６９に移行される。
【００７５】
Ｓ６９では、子機モードで動作する相手表示端末と通信を行うことが可能なアンテナが、第二アンテナ６から変更されたかどうかが判断される（Ｓ６９）。相手表示端末と通信を行うことが可能なアンテナが継続して第二アンテナ６であると判断された場合（Ｓ６９：ＮＯ）、Ｓ６３に戻り、上述の処理が繰り返し実行される。一方、相手表示端末と通信を行うことが可能なアンテナが、第二アンテナ６から変更された場合（Ｓ６９：ＹＥＳ）、親機表示処理を終了してメイン処理（図６参照）に戻る。
【００７６】
図９を参照し、メイン処理のＳ２６（図６参照）にて開始される子機表示処理について説明する。なお、既述の子機表示処理の説明と重複する説明は簡略する。図９に示すように、子機表示処理では、はじめに、親機モードにて動作する相手表示端末より、表示データ特定情報を受信したかが判断される（Ｓ７１）。表示データ特定情報を受信していない場合（Ｓ７１：ＮＯ）、Ｓ７３に移行される。表示データ特定情報を受信した場合（Ｓ７１：ＹＥＳ）、第一可能アンテナを介して表示データ特定情報を受信したかが判断される（Ｓ７５）。この場合、第二アンテナ６を介して通信可能な状態であるので、表示データ特定情報は第二アンテナを介して受信している（Ｓ７５：ＮＯ）。そこで、受信した表示データ特定情報に含まれているページ情報のページの表示データをフラッシュメモリ５４より読みだし、表示部８に表示させる（Ｓ７９）。そしてＳ７１に戻り、上述の処理が繰り返し実行される。
【００７７】
Ｓ７３では、子機モードで動作する相手表示端末と通信を行うことが可能なアンテナが、第二アンテナ６から変更されたかどうかが判断される（Ｓ７３）。相手表示端末と通信を行うことが可能なアンテナが継続して第二アンテナ６であると判断された場合（Ｓ７３：ＮＯ）、Ｓ７１に戻り、上述の処理が繰り返し実行される。一方、相手表示端末と通信を行うことが可能なアンテナが、第二アンテナ６から変更された場合（Ｓ７３：ＹＥＳ）、子機表示処理を終了してメイン処理（図６参照）に戻る。
【００７８】
親機表示処理（Ｓ２５、図６参照）及び子機表示処理（Ｓ２６、図６参照）が終了した状態では、第二アンテナ６を介して相手通信端末と通信を行うことができない状態となっている。そこで図６に示すメイン処理では、第一アンテナ２〜５を介して相手表示端末と通信が可能な状態であるかが判断される（Ｓ２７）。ここでの判断方法としては、例えばＳ１１における判断方法と同様の方法が使用可能である。第一アンテナ２〜５を介して相手表示端末と通信を行うことができないと判断された場合には（Ｓ２７：ＮＯ）、第一アンテナ２〜５及び第二アンテナ６のいずれを使用した場合も相手通信端末と通信ができない状態ということになる。このような場合、メイン処理を終了する。なお上述では特に説明されていないが、表示端末１は、操作部９を介した入力操作に基づき、一般的な表示端末において通常行われる表示動作（表示データの表示、切替等）を実行した後、メイン処理を終了してもよい。
【００７９】
一方、第一アンテナ２〜５を介して相手表示端末と通信が可能な状態となっている場合（Ｓ２７：ＹＥＳ）、相手表示端末との間の距離が再度近接したと判断される。このような場合には、Ｓ１２（図５参照）に戻り、相手表示端末の配置が推定され（Ｓ１２）、同期開始処理（Ｓ１３、図５参照）が実行される。
【００８０】
一方第二アンテナ６を介して相手表示端末と通信を行うことが不可能であると判断された場合（Ｓ２１：ＮＯ）、相手表示端末との間の距離が第二可能距離以上離れてしまっていると判断される。このような場合、メイン処理を終了する。なお上述では特に説明されていないが、表示端末１は、操作部９を介した入力操作に基づき、一般的な表示端末において通常行われる表示動作（表示データの表示、切替等）を実行した後、メイン処理を終了してもよい。
【００８１】
以上説明したように、表示端末１では、近距離通信可能な第一アンテナ２〜５を介して他の表示端末１と通信が可能であると判断された場合において、何れのアンテナにて通信可能となったかを判断することによって、通信可能であるとされた他の表示端末１がどの位置に配置されているかを推定する。そして、推定された位置に基づいて動作モード（親機モード、子機モード）を特定する。親機モードで動作する表示端末は、子機モードで動作する表示端末の表示部８に表示させる表示データを指定する。このように、表示端末１の配置に応じた表示データを其々の表示端末１の表示手段に表示させる。これによって、複数の表示端末それぞれに表示させる表示データを同期させることが可能となる。上述の実施の形態では、連続するページのデータが其々の表示端末の表示部８に表示されるので、ユーザは、複数の連続したページの表示データを一度に視認することが可能となる。
【００８２】
また、一旦第一アンテナ２〜５を介して相手表示端末と通信可能となった状態で、双方の間の距離が離隔し、第一アンテナ２〜５を介して相手表示端末と通信不可能となった場合には、中距離通信可能な第二アンテナ６にて相手表示端末と通信が可能であるかが判断される。第二アンテナ６を介して相手表示端末と通信可能であると判断された場合、表示データの同期状態を継続させる。上述の実施の形態では、同一の表示データを双方の表示部８に表示させる。これによってユーザは、自身が表示端末１を介して視認可能な表示データと同一の表示データを、相手表示端末を介して他者に視認させることが可能となる。このように、表示端末間の距離を離隔させた場合であっても、表示データが同期した状態を維持することが可能となる。
【００８３】
また、表示端末１間の距離が短い場合には、通信時に消費される電力が小さい第一アンテナ２〜５を介した通信を優先的して行うので、通信に要する電力を極力抑制しつつ表示端末１間で通信を行うことが可能となる。また、通信可能距離の短い第一アンテナ２〜５を介した通信が、通信可能距離の長い第二アンテナ６を介した通信と比較してデータ転送速度が大きい場合、第一アンテナ２〜５を介した通信を優先することにより、表示端末１間で効率的に大量のデータの通信を行うことが可能となる。
【００８４】
図１の表示部８が本発明の「表示手段」に相当する。図４のフラッシュメモリ５４が本発明の「記憶手段」に相当する。図５のＳ１６、Ｓ１８、図６のＳ２３、図８のＳ６７、図９のＳ７７、Ｓ７９の処理を行う制御部５１が本発明の「表示制御手段」に相当する。
【００８５】
図４の第一アンテナ２〜５及び第一通信部５６が本発明の「第一の通信手段」に相当し、第二アンテナ６及び第二通信部５７が本発明の「第二の通信手段」に相当する。図５のＳ１１の処理を行う制御部５１が本発明の「第一判断手段」に相当する。図７のＳ３９の処理を行う制御部５１が本発明の「識別情報送信手段」に相当し、Ｓ４１の処理を行う制御部５１が本発明の「識別情報受信手段」に相当し、送受信される識別ＩＤが本発明の「識別情報」に相当する。図７のＳ４３の処理を行う制御部５１が本発明の「モード判断手段」に相当する。図７のＳ４５、Ｓ４９、Ｓ５１、Ｓ５５、図８のＳ６５、図９のＳ７１の処理を行う制御部５１が本発明の「第一通信制御手段」に相当する。図５のＳ１６、Ｓ１８、図８のＳ６７、図９のＳ７７、Ｓ７９の処理を行う制御部５１が本発明の「第一表示制御手段」に相当する。図８のＳ６９、図９のＳ７３の処理を行う制御部５１が本発明の「第二判断手段」に相当する。図６のＳ２１の処理を行う制御部５１が本発明の「第三判断手段」に相当する。図６のＳ２４、図８のＳ６５、図９のＳ７１の処理を行う制御部５１が本発明の「第二通信制御手段」に相当する。図６のＳ２３、図８のＳ６７、図９のＳ７７、Ｓ７９の処理を行う制御部５１が本発明の「第二表示制御手段」に相当する。
【００８６】
なお、本発明は上記実施の形態に限定されるものではなく、種々の変更が可能である。上述の実施の形態では、２台の表示端末１における動作例を説明したが、本発明は２台に限定されず、表示端末１の数を３台以上としてもよい。この場合、連続する合計３つのページの表示データを順に表示端末１の表示部８に表示させることが可能となる。
【００８７】
上述の実施の形態では、文字が書き進められる方向（書字方向）が右側から左側に向かう方向である表示データである場合には、右側に配置される表示端末２１を親機モードにて動作させ、左側に配置される表示端末１１を子機モードにて動作させてもよい。そして、右側の表示端末２１に１ページ目の表示データを表示させ、左側の表示端末１１に２ページ目の表示データを表示させてもよい。
【００８８】
上述の実施の形態では、第一アンテナ２〜５のうち他の表示端末１の第一アンテナ２〜５と通信が可能な第一アンテナを特定することによって、他の表示端末１の配置を推定していたが、本発明はこの方法に限定されない。例えば、第一アンテナ２〜５にて受信された信号電波の電界強度を測定し、電界強度の強い信号電波を受信した第一アンテナを特定することによって、他の表示端末１の配置を推定してもよい。
【００８９】
上述の実施の形態では、親機モードの表示端末は、表示中の表示データの種別情報及びページ情報を表示データ特定情報として子機モードの表示端末に送信していた。また自身は、表示中の表示データを継続して表示部８に表示させていた。しかしながら本発明は他の表示制御方法であってもよい。従って親機モードの表示端末は、表示中の表示データ以外の表示データの種別情報及びページ情報を表示データ特定情報として子機モードの表示端末に送信してもよい。例えば、親機モードの表示端末にて表示中の表示データの関連ページの情報を含む表示データ特定情報を子機モードの表示端末に送信してもよい。これによって、子機モードの表示端末に関連ページの表示データを表示させることが可能となる。また、自身が表示する表示データを、表示中の表示データとは異なる表示データとしてもよい。
【００９０】
上述の実施の形態では、連続する複数のページの表示データを、異なる表示端末１に表示させていたが、本発明はこの構成に限定されない。従って例えば、１ページのうち一部分の表示データを一方の表示端末１（例えば親機モードの表示端末１）の表示部８に表示させ、他の部分の表示データを他方の表示端末１（例えば子機モードの表示端末１）の表示部８に表示させてもよい。このように表示させることにより、一ページ分のデータが大きく、表示端末１の表示部８に収まりきらない場合であっても、複数の表示端末１の表示部８に分割させて表示させることが可能となる。
【００９１】
上述の実施の形態では、第一アンテナ２〜５及び第二アンテナ６は表示端末１の枠部７に配置させていた。しかしながら、アンテナの配置は上述の例に限定されない。従って例えば、表示端末１の正面側と裏面側に第一アンテナを配置させてもよい。そして、双方の表示端末１を重ねて接触させた場合に、第一アンテナどうしが通信可能となる構成としてもよい。このような構成とすることによって、表示端末１同士を重ねて接触させた場合に表示データの同期状態を開始させることが可能となる。
【符号の説明】
【００９２】
１、１１、２１  表示端末
２、３、４、５、１２、１３、１４、１５、２２、２３、２４、２５  第一アンテナ
６、１６、２６  第二アンテナ
８、１８、２８  表示部
５１    制御部
５４    フラッシュメモリ
５６    第一通信部
５７    第二通信部
【図１】
2010171668.tif 000003
【図２】
2010171668.tif 000004
【図３】
2010171668.tif 000005
【図４】
2010171668.tif 000006
【図５】
2010171668.tif 000007
【図６】
2010171668.tif 000008
【図７】
2010171668.tif 000009
【図８】
2010171668.tif 000010
【図９】
2010171668.tif 000011